(57)【要約】【課題】  データ認識用及び複写出力用の画像処理を行うハードウェアコストを低減させるとともに画像データを保持するメモリコストを低減させ、製造コストを安価にすることができる画像処理装置を提供する。【解決手段】  データ認識用コードが付加された原稿から画像を読取る読取手段と、読取手段で読取られた画像に対してコード認識用の画像処理及び複写出力用の画像処理を行う画像処理手段と、読取手段で読取られた画像に対して下地濃度を検出する下地濃度検出手段とを有し、下地濃度検出手段はコード認識用の画像処理時に下地濃度の検出を行い、複写出力用の画像処理時の下地除去レベルを検出した下地濃度に基づいて設定する。【選択図】図３
2006246136.tif 000002
【特許請求の範囲】
【請求項１】
データ認識用コードが付加された原稿から画像を読取る読取手段と、
前記読取手段で読取られた画像に対してコード認識用の画像処理及び複写出力用の画像処理を行う画像処理手段と、
前記読取手段で読取られた画像に対して下地濃度を検出する下地濃度検出手段とを有し、
前記下地濃度検出手段は前記コード認識用の画像処理時に下地濃度の検出を行い、前記複写出力用の画像処理時の下地除去レベルを前記検出した下地濃度に基づいて設定することを特徴とする画像処理装置。
【請求項２】
バーコードが付加された原稿から画像を読取る読取手段と、
前記読取手段で読取られた画像に対してバーコード認識用の画像処理及び複写出力用の画像処理を行う画像処理手段と、
前記読取手段で読取られた画像に対して下地濃度を検出する下地濃度検出手段とを有し、
前記下地濃度検出手段は前記バーコード認識用の画像処理時に下地濃度の検出を行い、前記複写出力用の画像処理時の下地除去レベルを前記検出した下地濃度に基づいて設定することを特徴とする画像処理装置。
【請求項３】
バーコードが付加された原稿から画像を読取る読取手段と、
前記読取手段で読取られた画像に対してバーコード認識用の画像処理及び複写出力用の画像処理を行う画像処理手段と、
前記読取手段で読取られた画像に対して下地濃度を検出する下地濃度検出手段とを有し、
前記下地濃度検出手段は前記バーコード認識用の画像処理時に下地濃度の検出を行うとともに文字濃度の検出を行い、前記複写出力用の画像処理時の再規格化を前記検出した下地濃度及び文字濃度に基づいて行うことを特徴とする画像処理装置。
【請求項４】
前記読取手段は、１回目は前記バーコード認識用、２回目は前記複写出力用と同一原稿に対して読取動作を２回行うものであり、前記１回目の読取動作時に前記２回目の複写出力用の画像処理ために用いられる下地濃度を検出することを特徴とする請求項２又は３に記載の画像処理装置。
【請求項５】
前記読取手段は、往路は前記バーコード認識用、復路は前記複写出力用と同一原稿に対して読取動作を往復で行うものであり、前記往路の読取動作時に前記復路の複写出力用の画像処理のために用いられる下地濃度を検出することを特徴とする請求項２又は３に記載の画像処理装置。
【請求項６】
バーコードが付加された原稿から画像を読取る読取手段と、
前記読取手段で読取られた画像に対してバーコード認識用の画像処理及び複写出力用の画像処理を行う画像処理手段と、
前記読取手段で読取られた画像に対して文字領域を検出する文字領域検出手段を有し、
前記文字領域検出手段は、前記バーコード認識用の画像処理時に文字検出領域及び非文字領域検出領域のいずれの領域であるかを検出し、前記複写出力用の画像処理時に前記文字領域検出手段の検出結果に基づいて、フィルタ処理を切り替えることを特徴とする画像処理装置。
【請求項７】
バーコードが付加された原稿から画像を読取る読取手段と、
前記読取手段で読取られた画像に対してバーコード認識用の画像処理及び複写出力用の画像処理を行う画像処理手段と、
前記読取手段で読取られた画像に対して文字領域を検出する文字領域検出手段を有し、
前記文字領域検出手段は、前記バーコード認識用の画像処理時に文字検出領域及び非文字領域検出領域のいずれの領域であるかを検出し、前記複写出力用の画像処理時に前記文字領域検出手段の検出結果に基づいて、濃度補正処理を切り替えることを特徴とする画像処理装置。
【請求項８】
前記文字領域検出手段で検出した検出結果を保持する保持部をさらに有し、
前記検出結果を、前記複写出力用の画像処理と同期して前記保持部から読出すことを特徴とする請求項６又は７に記載の画像処理装置。
【請求項９】
前記文字領域検出手段で検出した検出結果を圧縮して保持する保持部をさらに有し、
前記検出結果を、前記複写出力用の画像処理と同期して前記保持部から伸長して読出することを特徴とする請求項６又は７に記載の画像処理装置。
【請求項１０】
前記読取手段は、１回目は前記バーコード認識用、２回目は前記複写出力用と同一原稿に対して読取動作を２回行うものであり、２回目の読取動作時に前記フィルタ処理を切り替えることを特徴とする請求項６に記載の画像処理装置。
【請求項１１】
前記読取手段は、１回目は前記バーコード認識用、２回目は前記複写出力用と同一原稿に対して読取動作を２回行うものであり、２回目の読取動作時に前記濃度補正処理を切り替えることを特徴とする請求項７に記載の画像処理装置。
【請求項１２】
前記読取手段は、往路は前記バーコード認識用、復路は前記複写出力用と同一原稿に対して読取動作を往復で行うものであり、前記復路の読取動作時に前記フィルタ処理を切り替えることを特徴とする請求項６に記載の画像処理装置。
【請求項１３】
前記読取手段は、往路は前記バーコード認識用、復路は前記複写出力用と同一原稿に対して読取動作を往復で行うものであり、前記復路の読取動作時に前記濃度補正処理を切り替えることを特徴とする請求項７に記載の画像処理装置。
【発明の詳細な説明】
【技術分野】
【０００１】
本発明は、データ認識用コードが付加された原稿から読取った画像を処理する画像処理装置に関する。
【背景技術】
【０００２】
従来のデータ認識用コードであるバーコードが付加された封筒から画像を読取り複写を行う複写機では、バーコードを認識するバーコード認識用の画像処理と複写出力用の画像処理との２種類を持つ必要がある。このように２種類の画像処理を実現するために、バーコード認識用の画像処理回路と複写出力用の画像処理回路を実装し、スキャナ等の画像読取装置から入力された画像に対してそれぞれの回路で処理を行っている。
【０００３】
また、他の方法としては、バーコード認識用の画像処理と、複写出力用の画像処理を共通の画像処理回路で構成し、画像読取装置から入力された画像をページメモリに保存し、ページメモリより読出した画像データに対して、画像処理回路の設定値をバーコード認識用、複写出力用とに切り替えることにより実現する方法もある。
【０００４】
なお、バーコードを認識する際の処理として、バーコード候補領域に含まれるバーの特徴量と重心位置の位相関係からバーコードを複合化し、バーコードを正確に検出し複合化するための信頼性の高いバーコードを実現する技術が知られている（例えば、特許文献１参照）。
【特許文献１】特開平１０−１９８７５５号公報
【発明の開示】
【発明が解決しようとする課題】
【０００５】
しかしながら、バーコード認識用と複写出力用と２種類の画像処理回路を持つ構成では、２つの画像処理回路が必要となり、ハードウェアコストが高くなってしまう。また、２つの画像処理回路でバーコード認識用の画像処理と複写出力用の画像処理とを同時に処理するため、複写出力で重要な下地除去を適応的に切り替えることが難しい。このため、高品質な複写出力ができなくなり、印字品質が低下してしまう。
【０００６】
一方、ページメモリを利用する場合では、複写出力時の下地除去を入力画像に対して適応的に切り替えることができるが、画像読取装置より入力された画像データを全てページメモリに保持する必要があるため、メモリコストが高くなってしまう。
【０００７】
本発明は上記事情に鑑みてなされたものであって、その目的は、データ認識用及び複写出力用の画像処理を行うハードウェアコストを低減させるとともに画像データを保持するメモリコストを低減させ、製造コストを安価にすることができる画像処理装置を提供することにある。
【課題を解決するための手段】
【０００８】
本発明は、データ認識用コードが付加された原稿から画像を読取る読取手段と、読取手段で読取られた画像に対してコード認識用の画像処理及び複写出力用の画像処理を行う画像処理手段と、読取手段で読取られた画像に対して下地濃度を検出する下地濃度検出手段とを有し、下地濃度検出手段はコード認識用の画像処理時に下地濃度の検出を行い、複写出力用の画像処理時の下地除去レベルを検出した下地濃度に基づいて設定する画像処理装置である。
【発明の効果】
【０００９】
本発明によると、データ認識用及び複写出力用の画像処理を行うハードウェアコストを低減させるとともに画像データを保持するメモリコストを低減させ、製造コストを安価にすることができる画像処理装置を提供できる。
【発明を実施するための最良の形態】
【００１０】
以下、本発明の各実施の形態について図面を参照して説明する。
【００１１】
（第１の実施の形態）
図１は、本発明の画像処理装置を有する複写機１の概略断面図である。複写機１は、配置された原稿、例えば書留郵便物２を載置するための原稿台３ａが設けられた台３と、原稿台３ａに載置された書留郵便物２の画像を読取るために、台３上に設けられた画像読取部４、画像読取部４から出力された画像信号に基づいて印刷を行うプリンタ５、画像読取部４から出力されたデータ認識用のコードを示す信号に基づいてコードを認識するパーソナルコンピュータ６とを有している。
【００１２】
図２は、原稿台３ａに載置される書留郵便物２を示している。書留郵便物２は、例えば茶封筒を用いており、その表面には図２に示すように、宛先等の文字７とともにデータ認識用のコードであるバーコード８が印字されている。このバーコード８は、差出人から書留郵便物２を引き受けた引受局でその書留郵便物２に固有に付される番号を示す情報を示している。書留郵便物２は、そのバーコード８が示す情報に基づいて、引受局から、書留郵便物２の中継を行う中継局、書留郵便物２の配達を行う配達局までの間、図示しないネットワーク上でいずれの局まで配送されたかが追跡される等の管理が行われる。
【００１３】
画像読取部４は、原稿台３ａに載置された書留郵便物２へ光を照射するために原稿台上方の図中左右に配置された２つのランプ１１ａ，１１ｂと、原稿台３ａの上方を図示しないモータにより制御されて移動するミラー１２ａを有する第１のキャリッジ１２及びミラー１３ａ，ミラー１３ｂを有する第２のキャリッジ１３と、ミラー１２ａ、ミラー１３ａ、ミラー１３ｂに反射された原稿画像を結像するためのレンズ１４と、レンズ１４を通過した光を光電変換し電気信号に変換するＣＣＤ１５と、ＣＣＤ１５から出力された電気信号に基づいて画像処理を行う画像処理ＡＳＩＣ１６（アプリケーション・スペシフィック・インテグレイレッド・サーキット）などを有している。
【００１４】
このように構成された画像読取部４は、ユーザの操作部（図示しない。）の所定操作に基づいて、画像を読取るための指示がなされると、原稿台３ａに載置された書留郵便物２にランプ１１ａ，１１ｂから光が照射されるとともに、第１のキャリッジ１２、第２のキャリッジ１３の待機位置からの移動が開始される。書留郵便物２から反射された反射光は、第１のキャリッジ１２のミラー１２ａ、第２のキャリッジ１３のミラー１３ａ、ミラー１３ｂ、レンズ１４を介してＣＣＤ１５に入射される。そして、ＣＣＤ１５で受光した光量に基づいて電気信号に変換され、その変換後の信号が画像処理ＡＳＩＣ１６へ出力される。画像処理ＡＳＩＣ１６は入力された画像信号に対して後述する、書留郵便物２に印字されたバーコード８の認識用の画像処理が行われ、書留郵便物２の複写出力用の画像処理が行われる。このように画像処理ＡＳＩＣ１６でバーコード認識用に処理されたバーコード信号はパーソナルコンピュータ６へ出力され、また、複写出力用に処理された画像信号はプリンタ５へ出力される。
【００１５】
パーソナルコンピュータ６は、各郵便局等に設置されるパーソナルコンピュータ等が接続された図示しないネットワークと接続されている。パーソナルコンピュータ６は、画像処理ＡＳＩＣ１６から出力されたバーコード信号に基づいて、書留郵便物２をネットワーク上で追跡するための処理を行う。プリンタ５は画像処理ＡＳＩＣ１６から出力された画像信号に基づいて書留郵便物２の表面の複写出力を行う。
【００１６】
図３は画像処理ＡＳＩＣ１６の構成を示すブロック図である。Ａ／Ｄ変換部２１は、ＣＣＤ１５より出力されたアナログ信号をデジタル信号に変換する。シェーディング（ＳＨＤ）補正部２２は、Ａ／Ｄ変換部２１でデジタル信号に変換された信号に対してシェーディング補正を行い、ランプ１１ａ，１１ｂの光量のばらつきや、ＣＣＤ１５センサの感度のばらつきを補正する。このシェーディング補正された信号は、レンジ補正部２３、下地検出部２４、文字検出部２５へ出力される。
【００１７】
レンジ補正部２３は、シェーディング補正された信号を、設定された白基準値と黒基準値により再規格化する。この再規格化された信号はフィルタ処理部２６へ出力される。下地検出部２４は、シェーディング補正された信号に対して、文字領域であるか、非文字領域（下地領域（背景））であるかを検出し、その判定結果をページメモリ２９に出力する。文字検出部２５は、シェーディング補正された信号に対して文字検索を行い、その検出結果は、ＭＭＲ（モディファイド・モディファイド・リード）の圧縮処理を行い、ページメモリ２９に保存する。複合部３０は、ページメモリ２９に保存されたＭＭＲ圧縮された判定結果に対して伸長処理をする。この伸長された判定結果は、フィルタ処理部２６、濃度補正部２７へ出力される。
【００１８】
フィルタ処理部２６は、レンジ補正部２３から出力された信号、複合部３０から出力された判定結果に基づいてフィルタ処理が施される。このフィルタ処理された信号は、濃度補正部２７へ出力される。濃度補正部２７は、フィルタ処理された信号に対して、複合部３０から出力された検出結果に基づいて濃度補正処理を行う。このように濃度補正処理された信号は、２値化処理部２８へ出力される。２値化処理部２８は、入力された濃度補正処理された信号に対して２値化処理を行う。
【００１９】
続いて、画像読取装置４の画像読取動作について説明する。画像読取装置４は、１回目の画像読取時にバーコード認識用の画像読取りを行い、２回目の画像読取時に複写出力用の画像読取りを行うようになっている。図４は、バーコード認識用の画像処理及び複写出力用の画像処理を行うときの画像読取装置４の画像読取動作を説明するための図である。先ず、バーコード認識処理における読取動作について説明する。
【００２０】
画像読取装置４は、バーコード認識、複写出力の開始コマンドを受付けると、バーコード認識用の前処理を行うために、図２で説明した画像処理ＡＳＩＣ１６に対して、レジスタ値を設定し、ランプ１１ａ，１１ｂを発光させるとともに第１のキャリッジ１２、第２のキャリッジ１３を待機位置から移動させて原稿台３ａに載置された書留郵便物２の１回目のスキャンを開始する。レジスタ値の設定は、具体的には、レンジ補正部２３のレンジ補正に対して、白基準値と黒基準値を設定する。このときに設定される値は、白基準値としてはバーコード８が印字されている部分の白部分を読取ったときの値であり、黒基準値としてはバーコードが印字されている黒バーの部分を読取ったときの値である。このように白基準値と黒基準値とを設定することで、レンジ補正では、下記（１）式による演算が行われ、画像信号を再規格化する。
【００２１】
（入力ＤＡＴＡ−黒基準値）／（白基準値−黒基準値）×２５５          …（１）
図５（ａ）はレンジ補正前のヒストグラムを示し、図５（ｂ）はレンジ補正後のヒストグラムを示している。各ヒストグラムは、縦軸が頻度、横軸が入力値を示している。図５（ａ）に示すように、レンジ補正前のヒストグラムでは、入力値が低い側と高い側にそれぞれピークが出現する。この入力値が低い側のピークを白基準値とし、入力値が高い側のピークを黒基準値とする。この白基準値と黒基準値とに基づいて、図５（ｂ）に示すように、レンジ補正後のヒストグラムの入力値の範囲は、白基準値から黒基準値となるように再規格化する。このようにレンジ補正で画像信号を再規格化することにより、バーコード認識に必要な白バー／黒バーの濃度差を確保することができる。
【００２２】
次に、フィルタ処理部２６においてＨＰＦ（ハイパスフィルタ）用の設定値を設定することで、例えば、バーコードの黒バーの印字濃度がかすれなどにより、濃度が低くても補正を行うことができる。
【００２３】
濃度補正部２７では、１次元ルックアップテーブルにより、濃度補正を行う。図６は、この濃度補正を説明するための図であり、同図において左側は濃度補正前のヒストグラムを示し、右側は濃度補正後のヒストグラムを示している。濃度補正としては、図６の濃度補正前のヒスグラムが示すように、図中波線で示す入力値０付近のデータを全て０に変換する。これにより、レンジ補正部２３のレンジ補正で除去しきれないバーコード８の下地濃度を除去する。
【００２４】
２値化処理部２８は、複写出力用の処理であるため、バーコード認識における画像処理ではスルー設定とする。このようにして、画像処理ＡＳＩＣ１６からバーコード認識用の画像信号が出力される。そして２値化処理部２８から出力された信号は、パーソナルコンピュータ６に受け渡され、パーソナルコンピュータ６のアプリケーションにて、バーコード認識処理等が行われる。
【００２５】
下地検出部２４の下地検出処理について説明する。下地検出処理は、バーコード認識後に処理が行われる複写処理において、入力原稿の下地除去レベルを決定するための処理である。図７は下地除去レベルを決定するための処理を説明するためのヒストグラムを示している。同図において、縦軸は頻度を示し、横軸は入力画像信号の入力値を示している。このように入力画像に対してヒストグラムを作成し、作成されたヒストグラムのピーク値を下地濃度として検出する。検出された下地濃度値は、図示しないＣＰＵによって読出され、複写出力時の画像処理ＡＳＩＣ１６の設定値（レンジ補正の白基準値）に反映される。同様に、ヒストグラムの高濃度側のピーク値を黒基準値として算出する。
【００２６】
また、文字検出部２５の文字検出処理は、文字領域であるか非文字領域であるかを検出する処理である。文字領域と非文字領域の検出は、図８（ａ）〜（ｄ）に示すようなラプラシアンフィルタにより、エッジ検出された領域は文字と判定し、エッジと検出されない領域は非文字領域であると判定する。なお、図８（ａ）ＥＥ０、（ｂ）ＥＥ１、（ｃ）ＥＥ２、（ｄ）ＥＥ４は、それぞれ０度、４５度、９０度、１３５度のエッジ検出フィルタであり、ＡＥ０からＡＥ３，ＢＥ０〜ＢＥ３はそれぞれ所定の係数である。
【００２７】
上記ラプラシアンフィルタにより、図９に示すように検出された文字領域と非文字領域は１ビットの信号（例えば、０：非文字領域，１：文字領域）として出力される。この出力された文字領域であるか非文字領域であるかの検出結果を示す判定信号は、ＭＭＲ圧縮が行われた後、ページメモリ２９に保存される。
【００２８】
このようにして原稿台３ａに載置された原稿の画像を読取っていき、原稿画像の読取りが終了するまで、すなわち、入力画像信号が終了するまでバーコード認識用の画像処理が画像処理ＡＳＩＣ１６で行われる。そして、スキャンが終了すると、第１のキャリッジ１２及び第２のキャリッジ１３は待機位置まで戻される。
【００２９】
続いて、複写出力用の処理の流れについて説明する。  
複写出力時の画像処理ＡＳＩＣ１６の設定としては、前述の下地検出部２４の下地検出処理により検出された下地濃度値を用いて、レンジ補正部２３のレンジ補正の白基準値を下地濃度の値として設定する。また、黒基準値については、レンジ補正部２３のレンジ補正で得られたヒストグラムの最大値を設定する。以上のように画像処理ＡＳＩＣ１６の設定を行うことにより、入力画像に応じて白／黒を再規格化することができるため、不要な下地を除去することができる。書留郵便物２が、図２で説明したように、茶封筒のように淡い茶色が下地であるような場合にも、下地の色に合わせて白／黒を再規格化することができる。
【００３０】
また、図１０に示すように、フィルタ処理部２６は文字領域用の処理である文字領域用フィルタ部２６ａ、非文字領域用の処理である非文字領域用フィルタ部２６ｂを有し、セレクタ２６ｃにより選択された信号が濃度補正部２７へ出力され、濃度補正部２７は文字領域用の処理である文字領域用濃度変換部２７ａ、非文字領域用の処理である非文字領域用濃度変換部２７ｂを有し、セレクタ２７ｃにより選択された信号が図１０で図示しない２値化処理部２８へ出力される。
【００３１】
すなわち、図１０に示すように、フィルタ処理部２６と濃度補正部２７は、文字領域用の処理と、非文字領域用の処理の２種類を持ち、文字検出により判別した文字領域であるか非文字領域であるかの検出結果を示す判定信号に応じて、セレクタ２６ｃ，２７ｃを切り替えて後段の処理へ出力することにより、フィルタ処理部２６、濃度補正部２７の各処理で用いるパラメータの設定を切り替える。パラメータの設定は、具体的には、フィルタ処理部２６のフィルタ処理においては文字領域では文字濃度を強調するためにＨＰＦのパラメータを設定し、非文字領域においてはノイズ除去のためにＬＰＦ（ローパスフィルタ）のパラメータを設定する。また、濃度補正部２７の濃度補正処理では、文字領域では鉛筆文字の濃度再現を良くするために、図１１に示すようなテーブルを設定し、非文字領域ではレンジ補正で除去しきれない下地を除去するために、図１２に示すようなテーブルを設定する。
【００３２】
このように画像処理ＡＳＩＣ１６の設定が行われた後、第１のキャリッジ１２、第２のキャリッジ１３が待機位置から移動して２回目のスキャンが開始される。スキャンが開始された後、上述した画像読取部４が上述した画像読取動作を再び行うことにより読込まれた書留郵便物２の画像に同期して、ページメモリ２９に保存された文字領域であるか非文字領域であるかの検出結果を示す判定信号が読出され、複合部３０で伸長処理が行われる。この伸長された判定信号は、フィルタ処理部２６及び濃度補正部２７に入力され、この判定信号に基づいて文字領域であるか非文字領域であるかの処理の切り替えが行われる。
【００３３】
そして、濃度補正まで行われた画像信号に対して、２値化処理部２８において、単純２値化や誤差拡散の方法により２値化される。このように２値化された画像信号は、複写用画像信号としてプリンタ５へ出力される。そして、ランプ１１ａ，１１ｂの発光を停止するとともに第１のキャリッジ１２、第２のキャリッジ１３は待機位置へ戻され２回目のスキャン処理が終了する。そして、プリンタ５は入力された画像信号に基づいて書留郵便物２の印刷を行う。これにより、原稿台３ａに載置された書留郵便物２の複写が行われる。
【００３４】
以上のように、バーコード認識用の画像処理と複写出力用の画像処理とで設定するパラメータを切り替えることで、同一の画像処理ＡＳＩＣ１６にてバーコード認識用の画像処理と複写出力用の画像処理にそれぞれ適した画像処理を施すことができる。
【００３５】
また、複写出力用の画像処理時にバーコード認識用の画像処理時で検出した下地検出結果及び文字検出結果を利用することで、高品質の複写画像を実現することができ、かつ、１ビットの文字検出結果を圧縮してページメモリ２９に保存するため、ページメモリ２９を低容量にすることができ、画像データをページメモリ２９に保持する場合と比較して大幅なコスト低減を図ることができる。
【００３６】
また、バーコード認識用の画像処理時に複写出力用の白基準値及び黒基準値を算出することができるので、複写出力用の画像処理時には画像を読取る原稿に応じた適応的な下地除去が可能なため、高画質を実現することができる。
【００３７】
さらに、バーコード認識用の画像処理時に文字領域であるか非文字領域であるかの検出を行うため、複写出力用の画像処理時には文字領域及び非文字領域での処理の切り替えが可能であり、文字再現を良くすることができる。
【００３８】
（第２の実施の形態）
次に、第２の実施の形態について述べる。なお、前述した第１の実施の形態と同一の部分には同一の符号を付し詳細な説明は省略する。  
図１２は、複写機１の概略断面図である。図１２に示すＦＷＤ（フォワード）スキャン方向、ＢＷＤ（バックワード）スキャン方向は画像読取り時の第１のキャリッジ１２及び第２のキャリッジ１３の走査方向を示している。従来では、ＦＷＤスキャン時に原稿の画像読取りを実施し、ＢＷＤスキャン時には原稿の画像読取を行わない構成となっており、往復動作を２回繰り返してバーコード認識用の画像処理と複写出力用の画像処理とを行っている。この第２の実施の形態は、ＦＷＤスキャン時にバーコード認識用の画像読取りを実施し、ＢＷＤスキャン時に複写出力用の画像読取りを実施するものである。
【００３９】
図１３は、ＦＷＤスキャン時と、ＢＷＤスキャン時の読取動作を説明するための図である。第１の実施の形態と同様に、バーコード認識用の画像処理ＡＳＩＣ１６の前処理のための設定を行った後に、ＦＷＤスキャンを開始する。そして、ＦＷＤスキャン終了後に、複写出力用の画像処理ＡＳＩＣ１６の設定を行う。画像処理ＡＳＩＣ１６の設定に必要な白基準値、黒基準値の算出方法は第１の実施の形態と同様であるため説明を省略する。
【００４０】
複写出力用の画像処理ＡＳＩＣ１６の設定後にＢＷＤスキャンを実施する。このときのスキャン方向はＦＷＤスキャンと逆方向となるため、ＦＷＤスキャン時にページメモリ２９に保存された文字領域であるか非文字領域であるかの検出結果を示す判定信号は、副走査方向に対して逆順で読出される。
【００４１】
図１４は、画像処理ＡＳＩＣ１６の構成を示すブロック図である。ページメモリ読出制御部３１はページメモリ２９に格納されたデータを読出すためのアドレス制御を行うブロックである。ページメモリ２９に保存されたデータ量（アドレス）は書込み終了時に決定される。ページメモリ読出制御部３１では、書き込まれた最大アドレスから逆順にページメモリ２９のデータを読み出す処理を行う。このように、ページメモリ２９から文字領域であるか非文字領域であるかの検出結果を示す判定信号の読出し制御をすることで、ＢＷＤスキャン時でも、読取った画像信号とページメモリ２９から読み出す判定結果を示す信号とを同期させて処理することができる。
【００４２】
以上の構成により、第１の実施の形態と同様に、低コストで高品質なバーコード画質と、複写画質を得ることができ、かつ、ページメモリ読出制御部３１の読出し制御のみで画像信号と文字領域であるか非文字領域であるかの検出結果を示す判定信号とを同期させることができる。
【００４３】
なお、上述した各実施の形態では、コードとしてバーコードを認識する場合で説明しているが、これに限られるものではなく、例えば、２次元コードのようにデータ認識用のコードであれば適用できるものである。
【００４４】
なお、本発明は、上述した実施の形態そのままに限定されるものではなく、実施段階ではその要旨を逸脱しない範囲で構成要素を変形して具体化でき、また、実施の形態に開示されている複数の構成要素の適宜な組み合わせにより種々の発明を変形できるものである。
【図面の簡単な説明】
【００４５】
【図１】本発明の第１の実施の形態における画像処理装置を有する複写機の概略断面図
【図２】同実施の形態における書留郵便物の表面を示す図。
【図３】同実施の形態における画像処理ＡＳＩＣの構成を示すブロック図。
【図４】同実施の形態における読取動作を説明するための図。
【図５】同実施の形態におけるレンジ補正の処理概念図。
【図６】同実施の形態における濃度補正の処理概念図。
【図７】同実施の形態における複写出力時に適応する白基準値と黒基準値を示す概念図。
【図８】同実施の形態におけるラプラシアンフィルタの構成図。
【図９】同実施の形態における文字領域検出の概念図。
【図１０】実施の形態におけるフィルタ処理及び濃度補正処理のブロック図。
【図１１】同実施の形態における文字領域に適用する濃度補正テーブルの概念図。
【図１２】同実施の形態における非文字領域に適用する濃度補正テーブルの概念図。
【図１３】本発明の第２の実施の形態における複写機の概略的断面図。
【図１４】同実施の形態における読取動作を説明するための図。
【図１５】同実施の形態における画像処理ブロック図。
【符号の説明】
【００４６】
１…複写機，２…書留郵便物，４…画像読取部，５…プリンタ，６…パーソナルコンピュータ，７…文字，８…バーコード，１６…画像処理ＡＳＩＣ
【図１】
2006246136.tif 000003
【図２】
2006246136.tif 000004
【図３】
2006246136.tif 000005
【図４】
2006246136.tif 000006
【図５】
2006246136.tif 000007
【図６】
2006246136.tif 000008
【図７】
2006246136.tif 000009
【図８】
2006246136.tif 000010
【図９】
2006246136.tif 000011
【図１０】
2006246136.tif 000012
【図１１】
2006246136.tif 000013
【図１２】
2006246136.tif 000014
【図１３】
2006246136.tif 000015
【図１４】
2006246136.tif 000016
【図１５】
2006246136.tif 000017